(57)【要約】【課題】浴室用モニタの内部の熱を効率よく外部に放出し、さらに、部品点数が少なく組立作業が容易な低価格の浴室用モニタを提供する。【解決手段】浴室用モニタは、キャビネット８と表示板とを備え、キャビネット８は、表示板の周りに上側から下側に向けて形成された水路６を含む。好ましくは、水路６は、表示板を正面から見たときの左右に形成され、キャビネット８の上面から下面まで貫通している。【選択図】        図１
2005006084.tif 000002
【特許請求の範囲】
【請求項１】
キャビネットと表示板とを備え、
前記キャビネットは、前記表示板の周りに、上側から下側に向けて形成された水路を含む、浴室用モニタ。
【請求項２】
前記水路は、前記表示板を正面から見たときの左右に形成され、前記キャビネットの上面から下面まで貫通している、請求項１に記載の浴室用モニタ。
【請求項３】
前記キャビネットの上面に、前記水路に達するように溝が形成され、
前記溝の底面は、前記水路に近づくにつれて徐々に低くなるように傾斜している、請求項１または２に記載の浴室用モニタ。
【請求項４】
前記溝は、前記水平方向の略中央から両側の端に向かって、前記底面が低くなるように形成された、請求項３に記載の浴室用モニタ。
【発明の詳細な説明】
【０００１】
【発明の属する技術分野】
本発明は、浴室用テレビなどの浴室用モニタに関する。特に、浴室用モニタのキャビネットの構造に関する。
【０００２】
【従来の技術】
浴室用テレビなどの浴室用モニタは、内部の機器を保護するために防水機能が必要とされる。このため、浴室用モニタは、キャビネットが密閉された構造を有している。図４から図６に、浴室用モニタのうち従来の技術に基づく浴室用液晶テレビの説明図を示す。
【０００３】
図４は、浴室用液晶テレビの斜視図である。浴室用液晶テレビは、箱型に形成されたキャビネット２１を備え、キャビネット２１は、前キャビネット１６と後キャビネット１０とを含む。前キャビネット１６の浴室用液晶テレビの前面になる部分には、ガラス板２０が嵌め込まれている。ガラス板２０の奥側には、表示板としての液晶パネルが配置され、ガラス板２０を通して映像を見ることができるようになっている。前キャビネット１６と後キャビネット１０の接合部分や、前キャビネット１６とガラス板２０との接合部分は、水滴などが内部に侵入しないように密閉されている。
【０００４】
図５は、浴室用液晶テレビから後キャビネット１０を取外して、後側から見たときの斜視図である。前キャビネット１６の内部には、表示板としての液晶パネル１９、アングル１７および基板１８が配置されている。液晶パネル１９は、映像を表示するための主表面を有する。液晶パネル１９は、主表面がキャビネットの前面に配置されたガラス板２０（図４参照）と対向するように配置されている。アングル１７は、液晶パネル１９の周りを押さえて、液晶パネル１９が動かないように固定しておくものである。アングル１７は、前キャビネット１６に固定されている。ＩＣなどの電子部品が配置された基板１８は、脚１５を介してアングル１７に固定されている。
【０００５】
図６は、後キャビネット１０の部分の分解図である。後キャビネット１０は、平板状に形成されている。後キャビネット１０の主表面には、複数の放熱用穴１１が形成されている。放熱用穴１１が形成されている領域に接触するように、放熱板１２が取付け用ビス１４によって後キャビネット１０に固定されている。放熱板１２の主表面の縁には、ゴムパッキン１３を圧縮して挟むことができるように切欠きが形成されている。ゴムパッキン１３は、放熱用穴１１が形成されている領域を取囲むように環状に形成され、放熱板１２と後キャビネット１０との間を密閉する。ゴムパッキン１３が圧縮固定されることによって、放熱用穴１１から浴室用液晶テレビの内部に水滴などが侵入することを防止する。放熱板１２の後キャビネット１０と接触する側と反対側の主表面は、基板１８（図５参照）に接触するように形成されている。
【０００６】
浴室用液晶テレビを駆動すると、主に液晶パネル１９や基板１８が発熱する。液晶パネル１９や基板１８の温度が高くなりすぎると、誤動作や故障が生じる恐れがある。一方で、キャビネットは内部を密閉するように形成されているため、キャビネットの内部と外部との空気の循環はなく、空気の循環以外の方法で発生した熱を外部に放出する必要がある。
【０００７】
図４から図６に示す浴室用液晶テレビにおいては、放熱板１２と基板１８とが接触することによって、基板１８の熱を放熱板１２に伝達した後に、放熱用穴１１を通して外部に放出することができるように構成されている。液晶パネル１９で発生する熱は、主に、アングル１７、脚１５、基板１８および放熱板１２を通して外部に放出されるか、アングル１７を通してキャビネット全体に伝達されて外部に放出される。しかし、基板１８および液晶パネル１９以外の部品の中にも発熱する部品がある。これらの部品の熱については、キャビネット内部の空気を熱伝導の媒体として、放熱板１２やキャビネットを通じて外部に放出されるか、キャビネットに接触している部品を介してキャビネットから外部に放出される。
【０００８】
なお、以上本発明についての従来の技術を、出願人の知得した一般的な技術情報に基づいて説明したが、出願人の記憶する範囲において、出願前までに先行技術文献情報として開示すべき情報を出願人は有していない。
【０００９】
【発明が解決しようとする課題】
従来の技術に基づく浴室用モニタでは、図６に示したように、放熱板１２、ゴムパッキン１３および取付け用ビス１４などが必要であり、部品点数が多いという問題があった。また、後キャビネット１０の複数の放熱用穴１１の形成や、放熱板１２を取付け作業などが必要であるという問題があった。これらのことは、浴室用モニタの製造費の上昇を招いていた。
【００１０】
本発明は、上記の問題を解決するためになされたものであり、浴室用モニタの内部の熱を効率よく外部に放出し、さらに、部品点数が少なく組立作業が容易な低価格の浴室用モニタを提供することを目的とする。
【００１１】
【課題を解決するための手段】
上記目的を達成するため、本発明に基づく浴室用モニタは、キャビネットと表示板とを備え、上記キャビネットは、上記表示板の周りに、上側から下側に向けて形成された水路を含む。この構成を採用することにより、上記浴室用モニタの内部の熱を、効率よく外部に放出することができ、組立作業が容易で、低価格の浴室用モニタを提供することができる。
【００１２】
上記発明において好ましくは、上記水路は、上記表示板を正面から見たときの左右に形成され、上記キャビネットの上面から下面まで貫通している。この構成を採用することにより、上記キャビネットを効率良く冷却することができる。
【００１３】
上記発明において好ましくは、上記キャビネットの上面に、上記水路に達するように溝が形成され、上記溝の底面は、上記水路に近づくにつれて徐々に低くなるように傾斜している。この構成を採用することにより、上記浴室用モニタの上面に付着する露や上記上面に落下する水を上記水路に導くことができ、上記水路の上記水の通過量を多くすることができ、熱交換の効率を向上させることができる。
【００１４】
上記発明において好ましくは、上記溝は、上記水平方向の略中央から両側の端に向かって、上記底面が低くなるように形成されている。この構成を採用することにより、上記溝に落下した水を、上記浴室用モニタの左右に等しく分配することができ、上記浴室用モニタ全体をほぼ均一に冷却することができる。
【００１５】
【発明の実施の形態】
（実施の形態１）
（構成）
図１から図３を参照して、本発明に基づく実施の形態１における浴室用モニタについて説明する。本実施の形態における浴室用モニタは、表示部が液晶パネルで形成された浴室用液晶テレビである。
【００１６】
図１に浴室用液晶テレビの斜視図を示す。浴室用液晶テレビはキャビネット８を備え、キャビネット８の前面にガラス板２０が嵌め込まれ、ガラス板２０の奥側に液晶パネルが配置されていることは、従来の技術に基づく浴室用液晶テレビと同様である。キャビネット８が、前キャビネット２と後キャビネット１とを含み、浴室用液晶テレビの内部が密閉されていることも従来の技術に基づく浴室用液晶テレビと同様である。
【００１７】
本実施の形態における浴室用液晶テレビは、上部に溝７が形成され、正面から見たときの左右両側に２つの水路６が形成されている。溝７は、表示板を正面から見たときの水平方向のほぼ中央から両側の端に向かって、溝７の底面が徐々に低くなるように形成されている。すなわち、溝７は、上記の水平方向のほぼ中央が一番高くなるように形成され、溝７の底面の断面形状が山型になるように形成されている。
【００１８】
図２に、浴室用液晶テレビの後キャビネット１を取外して、後側から見たときの斜視図を示す。水路６は、前キャビネット２の内部に形成され、上面から下面まで貫通するように形成されている。水路６は、液晶パネルの左右両側に、液晶パネル１９および基板１８を挟むように形成されている。水路６は、キャビネット内部と連通しないように形成されている。液晶パネル１９は、キャビネットの前側に配置されたガラス板２０と対向するように配置されている。液晶パネル１９は、アングル１７によって固定され、アングル１７は、前キャビネット２に固定されている。アングル１７の主表面には、脚１５を介して基板１８が取付けられている。
【００１９】
図３に、後キャビネット１の斜視図を示す。後キャビネット１は平板状であり、放熱板などは取り付けられておらず、また、放熱用穴も形成されていない。後キャビネット１は、前キャビネット２にねじ止めなどの周知の方法によって固定される。また、後キャビネット１は、ゴム製のパッキンなどを挟んで前キャビネット２に固定されている。
【００２０】
（作用・効果）
キャビネットの前面に配置されたガラス板や後キャビネットは水が内部に侵入しないように、密着して前キャビネットに固定されている。このため、電気機器が配置されているキャビネットの内部は密閉状態である。
【００２１】
浴室用液晶テレビを駆動すると、キャビネット８の内部に配置された基板１８や液晶パネル１９などが発熱する。図１において、浴室用液晶テレビの上面に付着した露や浴室用液晶テレビの上面に降り落ちたシャワー水などの水は、溝７の傾斜に沿って、左右両側に向かって流れる。溝７を流れてきた水は、溝７の終端に形成された鉛直方向の水路６に流れ込む。水路６に流れ込んだ水は、水路６に沿って下方に流れ、浴室用液晶テレビの下部から排出される。
【００２２】
図２において、液晶パネル１９および基板１８で発生した熱は、主にアングル１７に伝達されキャビネット８に伝えられる。水路６を通る水は、流れている間にキャビネット８の熱を吸収してキャビネット８を冷却することができる。キャビネット８は、水路６を通る水による水冷の他に、キャビネット８全体から外部に熱を放出することによって冷却される（図１参照）。このように、キャビネット８を人工的な水流によって冷却することができ、キャビネット８を効率的に冷却することができる。すなわち、空冷に加えて人工的な水冷を行なうことができる。また、冷却能力が向上した結果、キャビネットの背面に形成された放熱用穴、キャビネット内部の熱を外部に放出するための放熱板、ゴムパッキンおよび取付け用ビスなどが不要になる。したがって、部品点数が減らすことができる上に、浴室用モニタの組立作業の簡素化を図ることができる。その結果、低価格の浴室用モニタを提供することができる。
【００２３】
水路６をキャビネット８の上面から下面まで貫通するように形成することによって、キャビネット８の内部空間に長い距離をわたって水路６を形成することができる。また、水路６を上側から下側に向けて形成することによって、キャビネット８のまわりに付着した水滴を重力を利用して下方に導くことができる。また、表示板としての液晶パネルの左右両側に水路６を形成することによって、熱の主な発生源である液晶パネルおよび基板の周りに沿うように水を流すことができ、効率よく冷却を行なうことができる。
【００２４】
本実施の形態における浴室用モニタは、キャビネットの上面に、水路に近づくにつれて底面が徐々に低くなるように傾斜している溝が形成されている。この構成を採用することにより、キャビネットの上面に付着した水滴やキャビネットの上面に落ちたシャワー水などを水路に導くことができ、上面の水滴などをキャビネットの左右両側に導くことができる。また、キャビネットの上面に形成される溝は、水平方向のほぼ中央から両側の端に向かって底面が低くなるように形成されている。この構成を採用することにより、キャビネットの上面に付着する水滴などを、左右両側に均等に分配することができ、キャビネット全体を均一に冷却することができる。
【００２５】
本実施の形態における浴室用液晶テレビは、キャビネットを正面から見たときの左右に水路が形成されているが、特にこの形態に限られず、たとえば、浴室用モニタの背面に基板と対向するように、水路が形成されていてもよい。このような場合も、キャビネット上部に溝を形成して、この溝によって水滴などが水路に導かれる構造であることが好ましい。また、本実施の形態においては、浴室用モニタとして、浴室用液晶テレビを取上げて説明したが、このほかにも有機ＥＬディスプレイなどを採用した浴室用モニタなどといった浴室に置いて使用するモニタ全般に適用することができる。
【００２６】
なお、今回開示した上記実施の形態はすべての点で例示であって制限的なものではない。本発明の範囲は上記した説明ではなく特許請求の範囲によって示され、特許請求の範囲と均等の意味および範囲内でのすべての変更を含むものである。
【００２７】
【発明の効果】
本発明によれば、水滴などが流れる水路が形成されたキャビネットを備えているので、この水路を通る水滴などによって、キャビネットを冷却することができる。よって、従来の技術に基づく浴室用モニタより効率的に冷却を行なうことができる。その結果、従来の技術の浴室用モニタに必要であった放熱板などの部品を廃止することができ、組立て時の作業の簡素化を行なうことができ、低価格の浴室用モニタを提供することができる。
【図面の簡単な説明】
【図１】本発明に基づく実施の形態１における浴室用液晶テレビの概略斜視図である。
【図２】本発明に基づく実施の形態１における浴室用液晶テレビの概略分解斜視図である。
【図３】本発明に基づく実施の形態１における浴室用液晶テレビの後キャビネットの斜視図である。
【図４】従来の技術に基づく浴室用液晶テレビの概略斜視図である。
【図５】従来の技術に基づく浴室用液晶テレビの概略分解斜視図である。
【図６】従来の技術に基づく浴室用液晶テレビの後キャビネットの分解斜視図である。
【符号の説明】
１  後キャビネット、２  前キャビネット、６  水路、７  溝、８  キャビネット、１０  後キャビネット、１１  放熱用穴、１２  放熱板、１３  ゴムパッキン、１４  取付け用ビス、１５  脚、１６  前キャビネット、１７  アングル、１８  基板、１９  液晶パネル、２０  ガラス板、２１  キャビネット。
【図１】
2005006084.tif 000003
【図２】
2005006084.tif 000004
【図３】
2005006084.tif 000005
【図４】
2005006084.tif 000006
【図５】
2005006084.tif 000007
【図６】
2005006084.tif 000008